【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
情報処理装置及び出力装置と通信可能な設定装置であって、
映像及び音声の少なくとも一方を入力データとして入力する入力手段と、
前記入力データに関して、記憶装置に記憶された第１のルールの認識パラメータ値を適用して認識処理を行うと共に、前記記憶装置に記憶された前記第１のルールとは認識パラメータ値が異なり得る第２のルールの認識パラメータ値を適用して認識処理を行う認識処理手段と、
前記第２のルールの認識パラメータ値が前記入力データに関して適用された前記認識処理手段による認識処理の結果を前記出力装置に送信する第１の送信手段と、
前記第２のルールの認識パラメータ値を変更するために行われた、前記情報処理装置で受け付けられた変更操作に応答して変更された認識パラメータ値を受信すると、受信した認識パラメータ値で前記第１のルールの認識パラメータ値を更新する更新手段と、
前記更新手段で更新された第１のルールの認識パラメータ値が前記入力データに関して適用された前記認識処理手段による認識処理の結果を前記情報処理装置に送信する第２の送信手段と、
前記第１のルールの認識パラメータ値を保存する、前記情報処理装置で受け付けた保存操作に応答して出された指示を受信すると、前記第１のルールの認識パラメータ値を前記第２のルールの認識パラメータ値に反映して保存する保存手段と、
を有する設定装置。
【請求項２】
前記認識処理手段は、前記第１のルールに係る認識処理と前記第２のルールに係る認識処理とに共通する共通処理を前記入力データに行った結果に対して、前記第１のルールの認識パラメータ値を適用して認識処理を行うと共に、前記第２のルールの認識パラメータ値を適用して認識処理を行う請求項１に記載の設定装置。
【請求項３】
前記第１のルールには、複数種類の認識パラメータに対応して認識パラメータ値が設けられ、かつ、前記第２のルールには、前記複数種類の認識パラメータに対応して認識パラメータ値が設けられ、
前記保存手段は、前記保存操作に応答して出された指示を受信すると、前記第１のルールの前記複数種類の認識パラメータに対応する全ての認識パラメータ値を、前記第２のルールの各認識パラメータ値に反映して保存する請求項１又は２に記載の設定装置。
【請求項４】
前記認識処理手段は、前記更新された第１のルールの認識パラメータ値に係る認識処理では、前記変更操作に係る詳細情報を含めた結果を生成し、前記第２のルールに係る認識処理では、前記詳細情報を含めない結果を生成する請求項１乃至３の何れか１項に記載の設定装置。
【請求項５】
前記第１の送信手段は、前記認識処理手段による認識処理の結果に前記変更操作に係る詳細情報が含まれているときは、前記詳細情報を除去して前記認識処理手段による認識処理の結果を前記出力装置に送信する請求項１乃至３の何れか１項に記載の設定装置。
【請求項６】
前記第１の送信手段は、前記保存手段で前記第２のルールの認識パラメータ値が反映されてから予め設定された時間が経過したと判断した場合、前記認識処理手段による認識処理の結果を前記出力装置に送信する請求項１乃至５の何れか１項に記載の設定装置。
【請求項７】
前記第１の送信手段は、前記保存手段で前記第２のルールの認識パラメータ値が反映された場合、前記認識処理手段による認識処理の結果に前記変更操作が行われたことを示す情報を付加して、前記出力装置に送信する請求項１乃至５の何れか１項に記載の設定装置。
【請求項８】
前記保存手段は、前記保存操作に応答して、待機し、前記入力データを変更する制御が実行されることを契機として、前記第１のルールの認識パラメータ値を前記第２のルールの認識パラメータ値に反映して保存する請求項１乃至７の何れか１項に記載の設定装置。
【請求項９】
前記共通処理の結果を前記入力データに係る映像、及び音声と関連付けて外部記録装置に記録する記録制御手段と、
前記情報処理装置で受け付けた前記外部記録装置に記録された前記映像、及び音声に関して前記更新された第１のルールの認識パラメータ値を適用するための前記変更操作に応答して、前記映像、及び音声と、前記外部記録装置に記録された前記共通処理の結果に対して前記更新された第１のルールの認識パラメータ値が適用された前記認識処理手段による認識処理の結果と、を前記情報処理装置に送信する第３の送信手段と、を更に有する請求項２に記載の設定装置。
【請求項１０】
前記認識処理手段は、前記外部記録装置に記録された前記共通処理の結果に対して前記更新された第１のルールの認識パラメータ値を適用して認識処理を行っているときでも、前記入力手段で入力される入力データに前記共通処理を行った結果に対して前記第２のルールの認識パラメータ値を適用して認識処理を行う請求項９に記載の設定装置。
【請求項１１】
情報処理装置及び出力装置と通信可能な設定装置が実行する設定方法であって、
映像及び音声の少なくとも一方を入力データとして入力する入力工程と、
前記入力データに関して、記憶装置に記憶された第１のルールの認識パラメータ値を適用して認識処理を行うと共に、前記記憶装置に記憶された前記第１のルールとは認識パラメータ値が異なり得る第２のルールの認識パラメータ値を適用して認識処理を行う認識処理工程と、
前記第２のルールの認識パラメータ値が前記入力データに関して適用された前記認識処理工程による認識処理の結果を前記出力装置に送信する第１の送信工程と、
前記第２のルールの認識パラメータ値を変更するために行われた、前記情報処理装置で受け付けられた変更操作に応答して変更された認識パラメータ値を受信すると、受信した認識パラメータ値で前記第１のルールの認識パラメータ値を更新する更新工程と、
前記更新工程で更新された第１のルールの認識パラメータ値が前記入力データに関して適用された前記認識処理工程による認識処理の結果を前記情報処理装置に送信する第２の送信工程と、
前記第１のルールの認識パラメータ値を保存する、前記情報処理装置で受け付けた保存操作に応答して出された指示を受信すると、前記第１のルールの認識パラメータ値を前記第２のルールの認識パラメータ値に反映して保存する保存工程と、
を有する設定方法。
【請求項１２】
情報処理装置及び出力装置と通信可能なコンピュータを、
映像及び音声の少なくとも一方を入力データとして入力する入力手段と、
前記入力データに関して、記憶装置に記憶された第１のルールの認識パラメータ値を適用して認識処理を行うと共に、前記記憶装置に記憶された前記第１のルールとは認識パラメータ値が異なり得る第２のルールの認識パラメータ値を適用して認識処理を行う認識処理手段と、
前記第２のルールの認識パラメータ値が前記入力データに関して適用された前記認識処理手段による認識処理の結果を前記出力装置に送信する第１の送信手段と、
前記第２のルールの認識パラメータ値を変更するために行われた、前記情報処理装置で受け付けられた変更操作に応答して変更された認識パラメータ値を受信すると、受信した認識パラメータ値で前記第１のルールの認識パラメータ値を更新する更新手段と、
前記更新手段で更新された第１のルールの認識パラメータ値が前記入力データに関して適用された前記認識処理手段による認識処理の結果を前記情報処理装置に送信する第２の送信手段と、
前記第１のルールの認識パラメータ値を保存する、前記情報処理装置で受け付けた保存操作に応答して出された指示を受信すると、前記第１のルールの認識パラメータ値を前記第２のルールの認識パラメータ値に反映して保存する保存手段と、
して機能させるためのプログラム。